(57)【要約】【課題】互いに同じページ番号を有するが内容の違う複数のサブページを有するページのテレテキスト画像を適切な表示方法によって表示する。【解決手段】表示方法格納メモリ１３３は、マルチサブページ表示方法テーブルを格納する。マルチサブページ表示方法テーブルは、各ページについて、局情報、ページ番号、ページ情報、表示方法、および表示を有効にするか無効にするかを示す情報を示すものである。テレテキスト表示画面作成部１２５は、ページ情報格納メモリ１３２から各ページの復号データを読み出し、マルチサブページ表示方法テーブルにおいてそのページの局情報およびページ番号に対応する表示方法に従ってテレテキストが表示されるように、画像データを表示用ＶＲＡＭ１３４に送る。【選択図】図１
2008306554.tif 000002
【特許請求の範囲】
【請求項１】
テレテキストデータを復号し、テレテキスト画像をディスプレイ装置に表示させるテレテキストデコード装置であって、
上記テレテキストデータに含まれるページのうち複数のサブページを有するページについて、ページの属性とサブページ表示方法との対応関係を示す表示方法情報を格納する表示方法格納メモリと、
各ページのテレテキストデータを復号し、上記表示方法格納メモリに格納された表示方法情報を参照して当該ページの属性に対応するサブページ表示方法を特定し、このサブページ表示方法によって当該ページのテレテキスト画像を上記ディスプレイ装置に表示させるテレテキストデータ処理部とを備えていることを特徴とするテレテキストデコード装置。
【請求項２】
請求項１のテレテキストデコード装置において、
上記テレテキストデータ処理部は、
上記表示方法格納メモリに格納された表示方法情報を上記ディスプレイ装置に表示させ、使用者の入力に応じて上記表示方法情報を変更する機能をさらに備えていることを特徴とするテレテキストデコード装置。
【請求項３】
請求項２のテレテキストデコード装置において、
上記テレテキストデータ処理部は、
上記テレテキストデータから、複数のサブページを有するページを検出し、検出したページのサブページ表示方法を決定するマルチサブページ抽出部をさらに備え、
上記マルチサブページ抽出部によって検出されたページの属性とサブページ表示方法との対応関係が、上記表示方法格納メモリにおける表示方法情報に追加されることを特徴とするテレテキストデコード装置。
【請求項４】
請求項３のテレテキストデコード装置において、
上記ページの属性は、局情報、および各ページを識別するためのページ番号であることを特徴とするテレテキストデコード装置。
【請求項５】
請求項３のテレテキストデコード装置において、
抽出条件を格納する抽出条件格納メモリを備え、
上記テレテキストデータ処理部は、
上記マルチサブページ抽出部によって検出されたページのうち、上記抽出条件格納メモリに格納された抽出条件を満たすページを抽出するマルチサブページ比較抽出部をさらに備え、
上記マルチサブページ比較抽出部によって抽出されたページの属性とサブページ表示方法との対応関係が、上記表示方法格納メモリにおける表示方法情報に追加されることを特徴とするテレテキストデコード装置。
【請求項６】
請求項５のテレテキストデコード装置において、
上記ページの属性には局情報が含まれ、
上記マルチサブページ抽出部は、上記テレテキストデータから局情報を取り出し、内部番号、ＲＦチャンネル、および局情報を対応付けて示す選局情報を格納する局情報格納メモリに、取り出した局情報に所定のデータを内部番号およびＲＦチャンネルとして対応づけた情報を格納し、
上記テレテキストデータ処理部は、上記表示方法情報を表示する際に、上記局情報格納メモリに格納されている選局情報を表示し、上記選局情報に含まれる局情報のうち、使用者によって指定される局情報に対応するページのサブページ表示方法を表示することを特徴とするテレテキストデコード装置。
【請求項７】
請求項１のテレテキストデコード装置において、
上記テレテキストデータ処理部は、集積回路で構成され、
上記表示方法格納メモリは、上記集積回路の外部に構成された外付けＲＡＭまたは、上記集積回路に内蔵された内蔵ＲＡＭであることを特徴とするテレテキストデコード装置。
【請求項８】
請求項１のテレテキストデコード装置を内蔵するテレビジョン受像装置。
【請求項９】
請求項１のテレテキストデコード装置を内蔵するビデオ装置。
【請求項１０】
請求項１のテレテキストデコード装置を内蔵するパーソナルコンピュータ。
【請求項１１】
テレテキストデータを復号し、上記テレテキストデータに含まれるページのうち複数のサブページを有する各ページについて、ページの属性とサブページ表示方法との対応関係を示す表示方法情報を表示方法格納メモリから参照して当該ページの属性に対応するサブページ表示方法を特定し、このサブページ表示方法によって当該ページのテレテキスト画像をディスプレイ装置に表示させる集積回路。
【発明の詳細な説明】
【技術分野】
【０００１】
本発明は、複数のサブページを有するページのテレテキストデータを復号し、ディスプレイ装置にテレテキスト画像を複数種類のサブページ表示方法によって表示させる技術に関するものである。
【背景技術】
【０００２】
従来、テレテキストという文字放送の伝送方式が、欧州およびアジアにおけるＰＡＬテレビ信号システムが用いられている国で採用されている。伝送される情報は、複数ページから成り、各ページはページ番号によって識別される。
【０００３】
特許文献１には、互いに同じページ番号を有するが内容が異なる複数のサブページを自動的に循環させて表示する機能を有するテレビジョン受信機について記載されている。このテレビジョン受信機は、ページの表示時におけるユーザの指示に応じて、自動循環（自動更新）を停止させる機能を有している。
【０００４】
なお、レベル１．５表示等、テレテキストデータを格納するメモリの容量が小さい場合には、新しいページデータが来た場合にテレテキストを表示するが、レベル２．５表示のように、テレテキストデータを格納するメモリの容量が大きい場合には、同じページ番号で違うサブページを持つ特許文献１に記載されたようなページを受信すると、個々のサブページを別々に格納して表示する技術が知られている。
【特許文献１】特開平５−１９９５０２号公報（段落０００２〜０００７）
【発明の開示】
【発明が解決しようとする課題】
【０００５】
ここで、互いに同じページ番号を有するが内容の異なる複数のサブページを有するページを表示するのに、自動更新による表示や自動更新を停止させた状態での表示等の複数の表示方法のうちのいずれが適しているかは、表示するページのコンテンツによって異なる。しかしながら、上記従来のテレビジョン受信機では、表示前にあらかじめ表示方法を選択しておくことができないので、不適切な表示方法による不自然な表示が開始されてしまうことがある。
【０００６】
本発明は、上記の点に鑑み、互いに同じページ番号を有するが内容の違う複数のサブページを有するページのテレテキスト画像を適切な表示方法によって表示することを目的とする。
【課題を解決するための手段】
【０００７】
上記の課題を解決するため、請求項１の発明は、
テレテキストデータを復号し、テレテキスト画像をディスプレイ装置に表示させるテレテキストデコード装置であって、
上記テレテキストデータに含まれるページのうち複数のサブページを有するページについて、ページの属性とサブページ表示方法との対応関係を示す表示方法情報を格納する表示方法格納メモリと、
各ページのテレテキストデータを復号し、上記表示方法格納メモリに格納された表示方法情報を参照して当該ページの属性に対応するサブページ表示方法を特定し、このサブページ表示方法によって当該ページのテレテキスト画像を上記ディスプレイ装置に表示させるテレテキストデータ処理部とを備えていることを特徴とする。
【０００８】
請求項１の発明によると、テレテキストデータ処理部が、各ページのテレテキスト画像を、表示方法格納メモリに格納された表示方法情報によって示される対応関係において当該ページの属性に対応するサブページ表示方法によって、ディスプレイ装置に表示させる。したがって、表示方法格納メモリに、各ページに適したサブページ表示方法を各ページの属性に対応させた対応関係を示す表示方法情報を格納しておくことにより、各ページのテレテキスト画像を適切な表示方法によって表示させることができる。
【０００９】
請求項２の発明は、
請求項１のテレテキストデコード装置において、
上記テレテキストデータ処理部は、
上記表示方法格納メモリに格納された表示方法情報を上記ディスプレイ装置に表示させ、使用者の入力に応じて上記表示方法情報を変更する機能をさらに備えていることを特徴とする。
【００１０】
請求項２の発明によると、表示方法情報がディスプレイ装置に表示されるので、テレテキストデコード装置の使用者は、表示方法情報の内容の切り替えを確認できる。また、表示方法情報が使用者の入力に応じて変更されるので、使用者は、各ページに適したサブページ表示方法を選択し、入力によって切り替えることができる。
【００１１】
請求項３の発明は、
請求項２のテレテキストデコード装置において、
上記テレテキストデータ処理部は、
上記テレテキストデータから、複数のサブページを有するページを検出し、検出したページのサブページ表示方法を決定するマルチサブページ抽出部をさらに備え、
上記マルチサブページ抽出部によって検出されたページの属性とサブページ表示方法との対応関係が、上記表示方法格納メモリにおける表示方法情報に追加されることを特徴とする。
【００１２】
請求項３の発明によると、表示方法格納メモリは、複数のサブページを有するページについての表示方法情報を格納するので、複数のサブページを有するページについての表示方法情報がディスプレイ装置に表示される。
【００１３】
請求項４の発明は、
請求項３のテレテキストデコード装置において、
上記ページの属性は、局情報、および各ページを識別するためのページ番号であることを特徴とする。
【００１４】
請求項５の発明は、
請求項３のテレテキストデコード装置において、
抽出条件を格納する抽出条件格納メモリを備え、
上記テレテキストデータ処理部は、
上記マルチサブページ抽出部によって検出されたページのうち、上記抽出条件格納メモリに格納された抽出条件を満たすページを抽出するマルチサブページ比較抽出部をさらに備え、
上記マルチサブページ比較抽出部によって抽出されたページの属性とサブページ表示方法との対応関係が、上記表示方法格納メモリにおける表示方法情報に追加されることを特徴とする。
【００１５】
請求項５の発明によると、表示方法格納メモリは、抽出条件格納メモリに格納された抽出条件を満たすページについての表示方法情報を格納するので、ディスプレイ装置に表示される表示方法情報の情報量が多くなるのを防止できる。
【００１６】
請求項６の発明は、
請求項５のテレテキストデコード装置において、
上記ページの属性には局情報が含まれ、
上記マルチサブページ抽出部は、上記テレテキストデータから局情報を取り出し、内部番号、ＲＦチャンネル、および局情報を対応付けて示す選局情報を格納する局情報格納メモリに、取り出した局情報に所定のデータを内部番号およびＲＦチャンネルとして対応づけた情報を格納し、
上記テレテキストデータ処理部は、上記表示方法情報を表示する際に、上記局情報格納メモリに格納されている選局情報を表示し、上記選局情報に含まれる局情報のうち、使用者によって指定される局情報に対応するページのサブページ表示方法を表示することを特徴とする。
【００１７】
請求項７の発明は、
請求項１のテレテキストデコード装置において、
上記テレテキストデータ処理部は、集積回路で構成され、
上記表示方法格納メモリは、上記集積回路の外部に構成された外付けＲＡＭまたは、上記集積回路に内蔵された内蔵ＲＡＭであることを特徴とする。
【発明の効果】
【００１８】
本発明によると、各ページのテレテキスト画像が、表示方法格納メモリに格納された表示方法情報によって示される対応関係において当該ページの属性に対応するサブページ表示方法によってディスプレイ装置に表示される。したがって、互いに同じページ番号を有するが内容の違う複数のサブページを有するページのテレテキスト画像を、使用者の望む適切な表示方法によってディスプレイ装置に表示させ、不適切な表示が行われるのを防止できる。
【発明を実施するための最良の形態】
【００１９】
以下、本発明の実施形態について、図面を参照して説明する。なお、以下の各実施形態において、他の実施形態と同様の機能を有する構成要素については同一の符号を付して説明を省略する。
【００２０】
《実施形態１》
実施形態１に係るテレビジョン受像装置は、図１に示すように、ディスプレイ装置１１０、テレテキストデータ処理部（集積回路）１２０、および外部ＲＡＭ（外付けＲＡＭ）１３０を備えている。
【００２１】
テレテキストデータ処理部１２０は、集積回路で構成されている。
【００２２】
テレテキストデータ処理部１２０は、テレテキスト信号復元部制御部１２１、テレテキスト信号復元部１２２、テレテキストデータデコーダ１２３、キーハンドラ１２４、テレテキスト表示画面作成部１２５、および表示ハードウェア１２６を備えている。
【００２３】
外部ＲＡＭ１３０は、テレテキストデータ格納メモリ１３１、ページ情報格納メモリ１３２、表示方法格納メモリ１３３、および表示用ＶＲＡＭ１３４を備えている。なお、外部ＲＡＭ１３０は、複数の分離したＲＡＭで構成されるようにしてもよいし、１つの共通のＲＡＭで構成されて、これらのメモリおよびＶＲＡＭ用に、この共通のＲＡＭ内の記憶領域が割り当てられるようにしてもよい。
【００２４】
なお、テレテキスト信号復元部１２２、テレテキストデータデコーダ１２３、テレテキスト表示画面作成部１２５、テレテキストデータ格納メモリ１３１、およびページ情報格納メモリ１３２で、テレテキストデータ読み込み表示部１４０が構成されている。
【００２５】
また、テレテキストデータ処理部１２０、テレテキストデータ格納メモリ１３１、ページ情報格納メモリ１３２、および表示方法格納メモリ１３３によって、テレテキストデコード装置が構成されている。
【００２６】
テレテキスト信号復元部制御部１２１は、テレテキスト信号復元部１２２を制御する。
【００２７】
テレテキスト信号復元部１２２は、放送局から送信されたテレテキストデータを含むビデオ信号を受け、テレテキスト信号を復元し、テレテキストデータとしてテレテキストデータ格納メモリ１３１に格納する。
【００２８】
ここで、テレテキストデコード装置が処理するテレテキスト信号について説明する。ここで処理されるテレテキスト信号の規格は、ＥＴＳＩ  ＥＮ３００７０６で定義されている。テレテキスト信号は、制御データを含むパケット０，２６，２７，２８，２９，３０，３１と表示用データを含むパケット１−２５で構成されている。図２は、テレテキスト信号のパケット０のデータ形式（フォーマット）を示す説明図である。パケット０には、ページ情報およびページ種別の情報等が含まれている。
【００２９】
テレテキストデータデコーダ１２３は、テレテキストデータ格納メモリ１３１から、テレテキストデータを読み出し、復号データに復号し、復号データを各ページのデータ毎にページ情報格納メモリ１３２に格納する。
【００３０】
キーハンドラ１２４は、表示させるページを指定するリモコンキー入力を受け，リモコンキー入力によって指定されたページを示す情報を、テレテキスト表示画面作成部１２５および表示ハードウェア１２６に送る。
【００３１】
テレテキスト表示画面作成部１２５は、リモコンキー入力によって指定されたページの復号データをページ情報格納メモリ１３２から読み出し、表示に適した画像データを作成し、表示用ＶＲＡＭ１３４に書き込む。
【００３２】
表示ハードウェア１２６は、表示用ＶＲＡＭ１３４から画像データを読み出し、ディスプレイ装置１１０に送り、テレテキストを表示させる。
【００３３】
ディスプレイ装置１１０は、表示ハードウェア１２６から送られた画像データに基づいて、テレテキストを表示する。
【００３４】
本実施形態のテレビジョン受像装置は、互いに同じページ番号を有するが内容の異なる複数のサブページを有するページのテレテキストを、２種類の表示方法（サブページ表示方法）で表示できるようになっている。なお、以降、互いに同じページ番号を有するが内容の異なる複数のサブページを有するページをマルチサブページと呼ぶ。
【００３５】
１種類目の表示方法は、図３の右側に示すように、サブページ番号に関わらず、前回表示したサブページと違うサブページのテレテキスト信号を受信した場合に、表示するテレテキストを自動更新するものである。以下、この自動更新による表示方法を、自動更新表示と呼び、図中ではＡＵＴＯと示す。
【００３６】
もう１種類の表示方法は、図３の左側に示すように、ディスプレイ装置１１０の画面に、サブページ番号を、テレテキストの表示されている部分以外の領域にテレテキストとともに表示することによって、使用者に表示するサブページを選択するリモコンキー入力を促し、表示するサブページをリモコンキー入力に応じて切り替えるものである。以下、サブページリストを表示するこの方法を固定表示と呼び、図中ではＳＵＢＰＡＧＥと示す。
【００３７】
表示方法格納メモリ１３３には、あらかじめ、図４に示すようなマルチサブページ表示方法テーブル（表示方法情報）が格納されている。このマルチサブページ表示方法テーブルは、各ページについて、局情報（ＳＴＡＴＩＯＮ）、ページ番号（ＰＡＧＥ）、ページ情報（ＴＹＰＥ）、表示方法（ＭＯＤＥ）、および表示を有効にするか無効にするかを示す動作情報（ＳＥＴＴＩＮＧ）を示すものである。ページ番号は、各ページを識別するためのものであり、ページ情報はページの種類を示すものである。
【００３８】
テレテキスト表示画面作成部１２５は、ページ情報格納メモリ１３２から、各ページの復号データを読み出す。そして、表示方法格納メモリ１３３のマルチサブページ表示方法テーブルを参照し、各ページについて、そのページの復号データに含まれる局情報（局名）およびページ番号に対応するページ情報を特定し、特定した情報をテーブルから呼び出す。そして、その局情報とページ番号とに対応するページ情報がマルチサブページ表示方法テーブルに存在する場合には、そのテーブルにおいてそのページの局情報およびページ番号に対応する表示方法に従ってテレテキストが表示されるように、そのページの画像データを表示用ＶＲＡＭ１３４に送る。
【００３９】
ここで、表示するページの画像データをテレテキスト表示画面作成部１２５が作成する動作を図５のフローチャートを参照して説明する。
【００４０】
（Ｓ１００１）テレテキスト表示画面作成部１２５は、キーハンドラ１２４が受けるリモコン入力によって特定されたページの復号データをページ情報格納メモリ１３２から読み出す。そして、今回読み出したページが前回読み出したページと同じか否かを確認する。違う場合、つまり新しいページを読み出した場合には（Ｓ１００２）に進む。同じである場合には（Ｓ１００６）に進む。
【００４１】
（Ｓ１００２）表示方法格納メモリ１３３に格納されたマルチサブページ表示方法テーブルから、今回読み出したページの局情報およびページ番号に対応する表示方法を入手する。
【００４２】
（Ｓ１００３）（Ｓ１００２）で入手した表示方法が、固定表示（ＳＵＢＰＡＧＥ）と自動更新表示（ＡＵＴＯ）のいずれであるかを確認する。固定表示である場合には（Ｓ１００４）に進み、自動更新表示である場合には（Ｓ１００５）に進む。
【００４３】
（Ｓ１００４）今回読み出したページの表示方法を固定表示に設定する。
【００４４】
（Ｓ１００５）今回読み出したページの表示方法を自動更新表示に設定する。
【００４５】
（Ｓ１００６）今回読み出したサブページが、前回読み出したサブページと同じであるか否かを判定する。同じでない場合には（Ｓ１００７）に進み、同じである場合には（Ｓ１００８）に進む。
【００４６】
（Ｓ１００７）すでに設定されている表示方法が、固定表示と自動更新表示のいずれであるかを判定する。固定表示である場合には処理を終了し、自動更新表示である場合には（Ｓ１００８）に進む。
【００４７】
（Ｓ１００８）今回読み出したページの復号データに基づいて、画像データを作成し、
表示用ＶＲＡＭ１３４に書き込む。これに応じて、表示ハードウェア１２６は、書き込まれた画像データに基づくテレテキスト画像をディスプレイ装置１１０に表示させる。
【００４８】
このように、テレテキストデコード装置は、各ページのテレテキスト画像を、表示方法格納メモリ１３３に格納されたマルチサブページ表示方法テーブルにおいて当該ページの局情報およびページ番号に対応するものとして示された表示方法によって表示する。したがって、各ページのページ番号と各ページの表示に適した表示方法とを対応させたマルチサブページ表示方法テーブルを表示方法格納メモリ１３３に格納しておくことにより、各ページを適切な表示方法で表示できる。
【００４９】
なお、本実施形態では、表示するページの局情報とページ番号の両方に基づいて表示方法が決まるようになっていたが、いずれか一方だけに基づいて決まるようにしてもよいし、その他の属性に基づいて決まるようにしてもよい。例えば、マルチサブページ表示方法テーブルには、ページ情報と表示方法だけが対応付けて格納されており、表示するページのページ情報に対応する表示方法によって表示が行われるようにしてもよい。
【００５０】
《実施形態２》
実施形態２に係るテレビジョン受像装置は、図６に示すように、実施形態１のテレテキストデータ処理部１２０に代えて、テレテキストデータ処理部２２０を備えている。テレテキストデータ処理部２２０は、実施形態１のテレテキストデータ処理部１２０の構成に加え、マルチサブページ表示方法変更部２２１を備えている。
【００５１】
本実施形態においては、テレテキストデータ処理部２２０、テレテキストデータ格納メモリ１３１、ページ情報格納メモリ１３２、および表示方法格納メモリ１３３によって、テレテキストデコード装置が構成されている。
【００５２】
マルチサブページ表示方法変更部２２１は、表示方法格納メモリ１３３に格納されたマルチサブページ表示方法テーブルの内容を変更（修正）する機能を有する。より詳しくは、マルチサブページ表示方法変更部２２１は、マルチサブページ表示方法テーブルの内容をディスプレイ装置１１０の画面上に表示させるために、図示しない表示画面作成部に対して、マルチサブページ表示方法テーブルの内容を表示する画像の画像データの作成を指示する。この指示により、上記表示画面作成部が、マルチサブページ表示方法テーブルの内容を表示する画像の画像データを作成して図示しないＶＲＡＭに書き込む。そして、図示しない表示ハードウェアが、マルチサブページ表示方法テーブルの内容を表示する画像をディスプレイ装置１１０に表示させる。その後、使用者は、リモコンの使用によって、画面上に示されている各ページに対応する表示方法を変更する。マルチサブページ表示方法変更部２２１は、使用者による変更後のマルチサブページ表示方法テーブルを、変更前のテーブルの代わりに表示方法格納メモリ１３３に格納する。このように、使用者はリモコンの使用によって各ページについて表示方法を選択できる。
【００５３】
なお、本実施形態のマルチサブページ表示方法変更部２２１は、使用者によるリモコン入力に応じて、マルチサブページ表示方法テーブルの内容を変更するようになっているが、リモコンに限らず、キーボードやマウス等、その他の入力手段による入力に応じて変更するようにしてもよい。
【００５４】
ここで、マルチサブページ表示方法変更部２２１による動作を、図７のフローチャートを参照して説明する。
【００５５】
（Ｓ２００１）マルチサブページ表示方法変更部２２１は、まず、マルチサブページ表示方法テーブルから、ある１ページの局情報を取り出す。
【００５６】
（Ｓ２００２）（Ｓ２００１）で取り出した局情報が、すでにディスプレイ装置１１０に表示されている局情報と違う場合には（Ｓ２００３）に進み、同じである場合には、同じ局情報が重複して表示されるのを避けるために（Ｓ２００４）に進む。
【００５７】
（Ｓ２００３）（Ｓ２００１）で取り出した局情報をディスプレイ装置１１０に表示させるために、上記図示しない表示画面作成部に対して、この局情報を表示する画像の画像データの作成を指示する。
【００５８】
（Ｓ２００４）マルチサブページ表示方法テーブルに、次に新たに取り出す局情報があるか否かを確認する。ある場合には（Ｓ２００１）に戻り、ない場合には（Ｓ２００５）に進む。（Ｓ２００４）までの処理を終えて（Ｓ２００５）に進む際には、例えば図８の（１）に示すように、局情報（チャンネル情報）が表示される。
【００５９】
（Ｓ２００５）使用者によるリモコン入力を待つ。具体的には、キーハンドラ１２４からマルチサブページ表示方法変更部２２１に、使用者によるリモコン入力の内容を示す信号が送られてくるのを待つ。この信号が送られてきた場合、つまり、使用者によってリモコンによる入力が行われた場合、（Ｓ２００６）に進む。
【００６０】
（Ｓ２００６）使用者によるリモコン入力が、局情報の表示を終了させる入力であったか否かを確認する。具体的には、使用者によるリモコン入力が終了キーへの入力であったか否かを確認する。局情報の表示とは、例えば図８の（１）に示すような表示である。終了キーへの入力であった場合には（Ｓ２００７）に進み、そうでなかった場合には（Ｓ２００８）に進む。なお、以下、リモコン入力についての確認は、キーハンドラ１２４から送られてくるリモコン入力の内容を示す信号を用いて行われる。
【００６１】
（Ｓ２００７）局情報の表示をディスプレイ装置１１０の画面上から削除するために、上記図示しない表示画面作成部に対して、局情報の表示が削除された画像の画像データの作成を指示する。
【００６２】
（Ｓ２００８）使用者によるリモコン入力が、画面上において、表示されている局情報上にカーソルが位置している状態で右キーを押すものであったか否かを確認する。この状態で右キーを押すものであった場合には（Ｓ２１００）に進み、そうでなかった場合には（Ｓ２００９）に進む。図８の（１）においては、局情報であるＣＨＡＮＮＥＬ２の上にカーソルが位置している。これは、局情報上にカーソルが位置している状態の一例である。図８の例においては、この状態で右キーが押され、（Ｓ２１００）に進む。
【００６３】
（Ｓ２１００）（Ｓ２００８）においてカーソルが位置していた局情報に対応するページのページ番号、ページ情報、表示方法、および動作情報を、ディスプレイ装置１１０に表示させるように、上記図示しない表示画面作成部に対して指示を行う。この指示を終えると、（Ｓ２００５）に戻る。ここで、ディスプレイ装置の画面には、例えば、図８の（２）に示すような表示が現れる。ここでのマルチサブページ表示方法変更部２２１の詳しい動作については、後述する。
【００６４】
（Ｓ２００９）画面上において、カーソルがページ番号、表示方法、および動作情報のいずれかの表示の上に位置しているか否かを確認する。位置している場合には（Ｓ２２００）に進み、位置していない場合には（Ｓ２０１０）に進む。
【００６５】
（Ｓ２２００）マルチサブページ表示方法テーブルを変更するための使用者によるリモコン入力に応じて処理を行う。ここでの処理についても後述する。処理を終了すると、（Ｓ２００５）に戻る。
【００６６】
（Ｓ２０１０）画面上における局情報の位置を変更するために、上記図示しない表示画面作成部に対して、局情報の位置を変更した画像の画像データの作成を指示し、（Ｓ２００５）に戻る。
【００６７】
ここで、マルチサブページ表示方法変更部２２１による（Ｓ２１００）での詳しい動作について、図９のフローチャートを参照して説明する。
【００６８】
（Ｓ２１０１）表示方法格納メモリ１３３に格納されたマルチサブページ表示方法テーブルから、ある１ページの局情報を取り出す。
【００６９】
（Ｓ２１０２）（Ｓ２１０１）で取り出した局情報が、カーソルで指定されている局情報と一致しているか否かを確認する。例えば、図８の（１）の表示が画面上に現れている場合、（Ｓ２１０１）で取り出した局情報が、ＣＨＡＮＮＥＬ２であるか否かを確認する。（Ｓ２１０１）で取り出した局情報が、カーソルで指定されている局情報と一致している場合には（Ｓ２１０３）に進み、一致していない場合には（Ｓ２１０７）に進む。
【００７０】
（Ｓ２１０３）〜（Ｓ２１０６）（Ｓ２１０１）で局情報が取り出されたページのページ番号（ＰＡＧＥ）、ページ情報（ＴＹＰＥ）、表示方法（ＭＯＤＥ）、および表示を有効にするか無効するかを示す動作情報（ＳＥＴＴＩＮＧ）をディスプレイ装置１１０に表示させるために、上記図示しない表示画面作成部に対して、これらの表示を加えた画像の画像データの作成を指示する。
【００７１】
（Ｓ２１０７）マルチサブページ表示方法テーブルに、次に新たに取り出す局情報があるか否かを確認する。ある場合には（Ｓ２１０１）に戻り、ない場合には（Ｓ２１００）の処理を終了する。
【００７２】
（Ｓ２１００）における処理により、画面上に図８の（２）のような表示が現れる。
【００７３】
さらに、マルチサブページ表示方法変更部２２１による（Ｓ２２００）での詳しい動作について、図１０のフローチャートを参照して説明する。
【００７４】
（Ｓ２２０１）使用者によるリモコン入力が、リモコンの決定キーを押すものであったか否かを判定する。決定キーを押すものでなかった場合には（Ｓ２２０２）に進み、決定キーを押すものであった場合には（Ｓ２２０５）に進む。
【００７５】
（Ｓ２２０２）現在のカーソル位置がページ番号（ＰＡＧＥ）上であるか否かを確認する。ページ番号上である場合には（Ｓ２２０６）に進み、そうでない場合には（Ｓ２２０３）に進む。例えば、図８の（２）と（３）においては、カーソルがページ番号上にあるので、（Ｓ２２０６）に進む。
【００７６】
（Ｓ２２０３）現在のカーソル位置が表示方法（ＭＯＤＥ）上であるか否かを確認する。表示方法上である場合には（Ｓ２２１２）に進み、そうでない場合には（Ｓ２２０４）に進む。例えば、図８の（４）と（５）においては、カーソルが表示方法上にあるので、（Ｓ２２１２）に進む。
【００７７】
（Ｓ２２０４）現在のカーソル位置がページの表示を有効にするか無効するかを示す動作情報（ＳＥＴＴＩＮＧ）上であるか否かを確認する。動作情報上である場合には（Ｓ２２２０）に進み、そうでない場合には（Ｓ２２００）の処理を終了する。例えば、図８の（６）と（７）においては、カーソルが動作情報上にあるので、（Ｓ２２２０）に進む。
【００７８】
（Ｓ２２０５）現在の画面上における設定状況を、表示方法格納メモリ１３３に、それまで格納されていたマルチサブページ表示方法テーブルの代わりに格納し、（Ｓ２２００）の処理を終了する。例えば、図８の（７）と（８）の間では、決定キーが押されているので、図８の（７）に表示されている設定状況が、表示方法格納メモリ１３３に新たなマルチサブページ表示方法テーブルとして格納される。
【００７９】
（Ｓ２２０６）使用者によるリモコン入力が、リモコンの右キーを押すものであったか否かを判定する。右キーを押すものであった場合には（Ｓ２２０７）に進み、右キーを押すものでなかった場合には（Ｓ２２０８）に進む。例えば、図８の（３）と（４）の間では、右キーが押されているので、（Ｓ２２０７）に進む。
【００８０】
（Ｓ２２０７）カーソルを表示方法（ＭＯＤＥ）上に移動させる。より詳しくは、カーソルが表示方法上に移動した画像をディスプレイ装置１１０に表示させるために、上記図示しない表示画面作成部に対して、当該画像の画像データの作成を指示する。そして、（Ｓ２２００）の処理を終了する。例えば、図８の（３）と（４）の間では、カーソルが、ページ番号８８９上から表示方法ＳＵＢＰＡＧＥ上に移動している。なお、以降の説明においても、マルチサブページ表示方法変更部２２１がカーソルを移動させる場合、実際には、上記図示しない表示画面作成部に対してカーソルを移動させた画像の画像データの作成を指示するが、その説明は省略する。
【００８１】
（Ｓ２２０８）使用者によるリモコン入力が、リモコンの上キーを押すものであったか否かを判定する。上キーを押すものであった場合には（Ｓ２２０９）に進み、上キーを押すものでなかった場合には（Ｓ２２１０）に進む。
【００８２】
（Ｓ２２０９）カーソルを前のページ上に移動させる。そして、（Ｓ２２００）の処理を終了する。ここで、前のページとは、画面上において上に表示されているページである。
【００８３】
（Ｓ２２１０）使用者によるリモコン入力が、リモコンの下キーを押すものであったか否かを判定する。下キーを押すものであった場合には（Ｓ２２１１）に進み、下キーを押すものでなかった場合には（Ｓ２２００）の処理を終了する。例えば、図８の（２）と（３）の間では、下キーが押されているので、（Ｓ２２１１）に進む。
【００８４】
（Ｓ２２１１）カーソルを次のページ上に移動させる。そして、（Ｓ２２００）の処理を終了する。ここで、次のページとは、画面上において下に表示されているページである。例えば、図８の（２）と（３）の間では、カーソルが、ページ番号１５１上からページ番号８８９上に移動している。
【００８５】
（Ｓ２２１２）使用者によるリモコン入力が、リモコンの左キーを押すものであったか否かを判定する。左キーを押すものであった場合には（Ｓ２２１３）に進み、左キーを押すものでなかった場合には（Ｓ２２１４）に進む。
【００８６】
（Ｓ２２１３）カーソルをページ番号（ＰＡＧＥ）上に移動させる。そして、（Ｓ２２００）の処理を終了する。
【００８７】
（Ｓ２２１４）使用者によるリモコン入力が、リモコンの右キーを押すものであったか否かを判定する。右キーを押すものであった場合には（Ｓ２２１５）に進み、右キーを押すものでなかった場合には（Ｓ２２１６）に進む。例えば、図８の（５）と（６）の間では、右キーが押されているので、（Ｓ２２１５）に進む。
【００８８】
（Ｓ２２１５）カーソルをページの表示を有効にするか無効するかを示す動作情報（ＳＥＴＴＩＮＧ）上に移動させる。そして、（Ｓ２２００）の処理を終了する。例えば、図８の（５）と（６）の間では、カーソルが、表示方法ＡＵＴＯ上から、動作情報上に移動している。
【００８９】
（Ｓ２２１６）使用者によるリモコン入力が、リモコンの上キーを押すものであったか否かを判定する。上キーを押すものであった場合には（Ｓ２２１７）に進み、上キーを押すものでなかった場合には（Ｓ２２１８）に進む。
【００９０】
（Ｓ２２１７）カーソルで示されている表示をＳＵＢＰＡＧＥにする。そして、（Ｓ２２００）の処理を終了する。
【００９１】
（Ｓ２２１８）使用者によるリモコン入力が、リモコンの下キーを押すものであったか否かを判定する。下キーを押すものであった場合には（Ｓ２２１９）に進み、下キーを押すものでなかった場合には（Ｓ２２００）の処理を終了する。例えば、図８の（４）と（５）の間では、下キーが押されているので、（Ｓ２２１９）に進む。
【００９２】
（Ｓ２２１９）カーソルで示されている表示をＡＵＴＯにする。そして、（Ｓ２２００）の処理を終了する。例えば、図８の（５）においては、カーソルで示されている表示がＡＵＴＯになっている。
【００９３】
（Ｓ２２２０）使用者によるリモコン入力が、リモコンの左キーを押すものであったか否かを判定する。左キーを押すものであった場合には（Ｓ２２２１）に進み、左キーを押すものでなかった場合には（Ｓ２２２２）に進む。
【００９４】
（Ｓ２２２１）カーソルを表示方法（ＭＯＤＥ）上に移動させる。そして、（Ｓ２２００）の処理を終了する。
【００９５】
（Ｓ２２２２）使用者によるリモコン入力が、リモコンの上キーを押すものであったか否かを判定する。上キーを押すものであった場合には（Ｓ２２２３）に進み、上キーを押すものでなかった場合には（Ｓ２２２４）に進む。
【００９６】
（Ｓ２２２３）カーソルで示されている表示をＮＯにする。そして、（Ｓ２２００）の処理を終了する。なお、ここで、画面上におけるＮＯの表示は、表示を無効にすることを示し、ＹＥＳの表示は、表示を有効にすることを示す。
【００９７】
（Ｓ２２２４）使用者によるリモコン入力が、リモコンの下キーを押すものであったか否かを判定する。下キーを押すものであった場合には（Ｓ２２２５）に進み、下キーを押すものでなかった場合には（Ｓ２２００）の処理を終了する。例えば、図８の（６）と（７）の間では、下キーが押されているので、（Ｓ２２２５）に進む。
【００９８】
（Ｓ２２２５）カーソルで示されている表示をＹＥＳにする。そして、（Ｓ２２００）の処理を終了する。例えば、図８の（７）においては、カーソルで示されている表示がＹＥＳになっている。
【００９９】
《実施形態３》
実施形態３に係るテレビジョン受像装置は、図１１に示すように、実施形態２のテレテキストデータ処理部２２０に代えて、テレテキストデータ処理部３２０を備えている。テレテキストデータ処理部３２０は、実施形態２のテレテキストデータ処理部２２０の構成に加え、局情報／マルチサブページ抽出部３２１を備えている。
【０１００】
本実施形態においては、テレテキストデータ処理部３２０、テレテキストデータ格納メモリ１３１、ページ情報格納メモリ１３２、および表示方法格納メモリ１３３によって、テレテキストデコード装置が構成されている。
【０１０１】
局情報／マルチサブページ抽出部３２１は、テレテキスト信号復元部１２２によって復元されたテレテキスト信号を受信し、マルチサブページを検出し、表示方法格納メモリ１３３に格納されたマルチサブページ表示方法テーブルに追加する。マルチサブページ表示方法テーブルの内容は、実施形態２で説明したようにディスプレイ装置に表示されるので、使用者は、表示対象となる全てのマルチサブページを知ることができる。また、マルチサブページでないページは表示されないので、使用者がマルチサブページでないページについて表示方法を設定しようとすることを防止できる。
【０１０２】
ここで、局情報／マルチサブページ抽出部３２１による動作について、図１２のフローチャートを参照して説明する。
【０１０３】
（Ｓ３１００）局情報／マルチサブページ抽出部３２１（マルチサブページ抽出部）は、テレテキスト信号復元部１２２によって復元されたテレテキスト信号（テレテキストデータ）から局情報（ＳＴＡＴＩＯＮ）を取り出す。
【０１０４】
（Ｓ３２００）さらに、局情報／マルチサブページ抽出部３２１（マルチサブページ抽出部）は、テレテキスト信号復元部１２２によって復元されたテレテキスト信号（テレテキストデータ）から、マルチサブページのページ情報（ＴＹＰＥ）を取り出す。そして、取り出したページ情報、およびページ中のサブページ番号を解析し、サブページ表示方法を決定する。
【０１０５】
局情報／マルチサブページ抽出部３２１は、１ページ毎に、（Ｓ３１００）および（Ｓ３２００）の動作を行う。
【０１０６】
また、局情報／マルチサブページ抽出部３２１による（Ｓ３１００）での詳しい動作について、図１３のフローチャートを参照して説明する。
【０１０７】
（Ｓ３１０１）テレテキスト信号復元部１２２によって復元されたテレテキスト信号中にＶＰＳ（Video Programming System）データが存在するか否かを確認する。存在しない場合には（Ｓ３１０２）に進み、存在する場合には（Ｓ３１０３）に進む。
【０１０８】
（Ｓ３１０２）テレテキスト信号復元部１２２によって復元されたテレテキスト信号中にパケット３０が存在するか否かを確認する。存在する場合には（Ｓ３１０５）に進み、存在しない場合には（Ｓ３１００）の処理を終了する。
【０１０９】
（Ｓ３１０３）ＶＰＳデータを取り出す。
【０１１０】
（Ｓ３１０４）国情報、および局情報を取り出し、局情報を最終的に確定し、（Ｓ３１００）の処理を終了する。
【０１１１】
（Ｓ３１０５）パケット３０のデータを取り出す。
【０１１２】
（Ｓ３１０６）国情報、および局情報を取り出し、局情報を最終的に確定し、（Ｓ３１００）の処理を終了する。
【０１１３】
さらに、局情報／マルチサブページ抽出部３２１による（Ｓ３２００）での詳しい動作について、図１４のフローチャートを参照して説明する。
【０１１４】
（Ｓ３２０１）パケット０を取り出す。
【０１１５】
（Ｓ３２０２）（Ｓ３２０１）で取り出したパケット０によって示されるページ情報が、サブタイトル（ＳＵＢＴＩＴＬＥ）であるか否かを確認する。サブタイトルである場合には（Ｓ３２０３）に進み、サブタイトルでない場合には（Ｓ３２０４）に進む。
【０１１６】
（Ｓ３２０３）ページ情報をサブタイトルに設定する。
【０１１７】
（Ｓ３２０４）（Ｓ３２０１）で取り出したパケット０によって示されるページ情報が、ニュースフラッシュ（ＮＥＷＳＦＬＡＳＨ）であるか否かを確認する。ニュースフラッシュである場合には（Ｓ３２０５）に進み、ニュースフラッシュでない場合には（Ｓ３２０６）に進む。
【０１１８】
（Ｓ３２０５）ページ情報をニュースフラッシュに設定する。
【０１１９】
（Ｓ３２０６）（Ｓ３２０１）で取り出したパケット０によって示されるサブページ番号が、現在の時刻と同じか否かを確認する。同じである場合には（Ｓ３２０７）に進み、同じでない場合には（Ｓ３２０８）に進む。
【０１２０】
（Ｓ３２０７）ページ情報をタイム（ＴＩＭＥ）に設定する。
【０１２１】
（Ｓ３２０８）同じページ番号を有するがサブページ番号の異なるサブページが内部テーブルにあるか否か確認する。ある場合には（Ｓ３２０９）に進み、ない場合には（Ｓ３２１０）に進む。
【０１２２】
（Ｓ３２０９）（Ｓ３１００）で取り出した国情報と局情報、および（Ｓ３２０１）で取り出したパケット０によって示されるページ番号、および設定したページ情報を出力するとともに、ページ番号に対応するページの表示方法を決定して出力する。そして、（Ｓ３２００）の処理を終了する。出力された局情報、ページ番号、ページ情報、および表示方法は、対応付けられて、表示方法格納メモリ１３３のマルチサブページ表示方法テーブルに追加される。
【０１２３】
（Ｓ３２１０）ページ番号、およびサブページ番号を上記内部テーブルに保存する。
【０１２４】
局情報／マルチサブページ抽出部３２１は、パケット０毎に、（Ｓ３２００）の処理を繰り返すことによって、テレテキスト信号中のマルチサブページについての情報を表示方法格納メモリ１３３に出力する。
【０１２５】
《実施形態４》
実施形態４に係るテレビジョン受像装置は、図１５に示すように、ディスプレイ装置１１０、テレテキストデータ処理部４２０、および外部ＲＡＭ（外付けＲＡＭ）４３０を備えている。テレテキストデータ処理部４２０は、実施形態３のテレテキストデータ処理部３２０の構成に加え、マルチサブページ比較抽出部４２１を備えている。外部ＲＡＭ４３０は、実施形態３の外部ＲＡＭ１３０の構成に加え、抽出条件格納メモリ４３１を備えている。
【０１２６】
本実施形態においては、テレテキストデータ処理部４２０、テレテキストデータ格納メモリ１３１、ページ情報格納メモリ１３２、表示方法格納メモリ１３３、および抽出条件格納メモリ４３１によって、テレテキストデコード装置が構成されている。
【０１２７】
抽出条件格納メモリ４３１には、図１６に示すようなマルチサブページ抽出条件テーブルが格納されている。このマルチサブページ抽出条件テーブルは、同図に示すように、各ぺージについて、国情報（ＣＯＵＮＴＲＹ）、局情報（ＳＴＡＴＩＯＮ）、ページ情報（ページ種別）（ＴＹＰＥ）、および表示方法（ＭＯＤＥ）を示すものである。
【０１２８】
マルチサブページ比較抽出部４２１は、局情報／マルチサブページ抽出部３２１によって出力された情報を、マルチサブページ抽出条件テーブルに列挙された各条件と比較する。そして、マルチサブページ比較抽出部４２１は、マルチサブページ抽出条件テーブルに一致する条件が存在するマルチサブページを抽出し、そのマルチサブページについてのページ番号、局情報およびページ情報を表示方法格納メモリ１３３に格納されたマルチサブページ表示方法テーブルに追加する。
【０１２９】
ここで、マルチサブページ比較抽出部４２１による動作を、図１７のフローチャートを参照して説明する。
【０１３０】
（Ｓ４００１）マルチサブページ抽出条件テーブルから、１組のデータを読み出す。１組のデータとは、図１６における１行分のデータである。
【０１３１】
（Ｓ４００２）局情報／マルチサブページ抽出部３２１によって取り出された国情報が、（Ｓ４００１）で読み出したデータに含まれる国情報と一致しているか否かを確認する。一致している場合には（Ｓ４００３）に進み、一致していない場合には（Ｓ４００６）に進む。なお、（Ｓ４００１）で読み出したデータにおいて国情報がＡＬＬである場合には、局情報／マルチサブページ抽出部３２１によって取り出された国情報がいずれの国を示すものであっても、一致していると判定される。局情報等、他の情報についても同様である。
【０１３２】
（Ｓ４００３）局情報／マルチサブページ抽出部３２１によって取り出された局情報が、（Ｓ４００１）で読み出したデータに含まれる局情報と一致しているか否かを確認する。一致している場合には（Ｓ４００４）に進み、一致していない場合には（Ｓ４００６）に進む。
【０１３３】
（Ｓ４００４）局情報／マルチサブページ抽出部３２１によって取り出されたページ情報が、（Ｓ４００１）で読み出したデータに含まれるページ情報と一致しているか否かを確認する。一致している場合には（Ｓ４００５）に進み、一致していない場合には（Ｓ４００６）に進む。つまり、国情報、局情報、およびページ情報の全てが一致した場合には（Ｓ４００５）に進み、国情報、局情報、およびページ情報のいずれか１つでも一致しなかった場合には（Ｓ４００６）に進む。
【０１３４】
（Ｓ４００５）局情報／マルチサブページ抽出部３２１によって取り出された局情報、ページ番号、およびページ情報に加え、（Ｓ４００１）で読み出したデータに含まれる表示方法（ＭＯＤＥ）を出力する。出力された局情報、ページ番号、ページ情報、および表示方法は、表示方法格納メモリ１３３のマルチサブページ表示方法テーブルに追加される。
【０１３５】
（Ｓ４００６）マルチサブページ抽出条件テーブルにまだ読み出されていないデータ、つまり比較が行われていないマルチサブページ抽出条件があるか否か確認する。ある場合には（Ｓ４００１）に戻り、ない場合には処理を終了する。
【０１３６】
本実施形態によると、事前に抽出条件を設定しておくことにより、マルチサブページ表示方法テーブルに含まれるページを減らすことができ、表示対象となるページが多い放送局からの信号に基づいてテレテキストを表示させる場合でも、マルチサブページ表示方法テーブルに含まれるページ数が多くなることを防げる。つまり、使用者の選択対象となるページが多くなることを防げる。
【０１３７】
《実施形態５》
実施形態５に係るテレビジョン受像装置は、図１８に示すように、ディスプレイ装置１１０、テレテキストデータ処理部５２０、および外部ＲＡＭ（外付けＲＡＭ）５３０を備えている。テレテキストデータ処理部５２０は、実施形態４のテレテキストデータ処理部４２０の局情報／マルチサブページ抽出部３２１に代えて、局情報／マルチサブページ抽出部５２１を備えている。外部ＲＡＭ５３０は、実施形態４の外部ＲＡＭ４３０の構成に加え、局情報格納メモリ５３１を備えている。
【０１３８】
本実施形態においては、テレテキストデータ処理部５２０、テレテキストデータ格納メモリ１３１、ページ情報格納メモリ１３２、表示方法格納メモリ１３３、および抽出条件格納メモリ４３１によって、テレテキストデコード装置が構成されている。
【０１３９】
局情報格納メモリ５３１には、図１９に示すような局情報テーブルが格納されている。この局情報テーブルは、同図に示すように、内部番号（ＮＵＭＢＥＲ）、ＲＦチャンネル（ＣＨ）、および局情報（ＳＴＡＴＩＯＮ）を対応付けて示している。テレビジョン受信装置は、使用者によるリモコン操作等によって内部番号が入力されると、この局情報テーブルを参照し、入力された内部番号に対応するＲＦチャンネルを受信する。なお、本明細書の説明において、内部番号、ＲＦチャンネル、および局情報を対応づけて示す情報を、選局情報と呼ぶ。
【０１４０】
局情報／マルチサブページ抽出部５２１は、テレテキスト信号復元部１２２によって復元されたテレテキスト信号から局情報を取り出し、取り出した局情報を局情報格納メモリ５３１に出力する。出力された局情報は、局情報格納メモリ５３１の局情報テーブルに書き込まれ、テレビジョン受像装置が持つ選局情報と合わせて使用される。ここで、テレビジョン受像装置が持つ選局情報とは、オートスキャン等によって得られるものであり、例えば、図１９の上２段の情報、つまり、ＣＨ０３およびＣＨ０４に対応する情報である。
【０１４１】
また、本実施形態において、マルチサブページ表示方法変更部２２１は、実施形態３または実施形態４で用いられたマルチサブページ表示方法テーブルの局情報の代わりに、局情報テーブルに示されている選局情報を使用する。したがって、この選局情報が、マルチサブページ表示方法テーブルに含まれる局情報の代わりに、図８の（１）のような表示画像としてディスプレイ装置１１０に表示される。つまり、図８の（１）では、局情報のみが表示されているが、本実施形態では、内部番号、ＲＦチャンネル、および局情報が対応付けられて表示される。テレビジョン受像装置の使用者が、表示された選局情報に含まれる局情報のうちのいずれかを指定すると、指定された局情報に対応するページのページ番号および表示方法等が表示される。例えば、ＣＨＡＮＮＥＬ２が指定されると、選局情報に加え、図８の（２）の右側の太線で囲まれた四角に示すような情報が表示される。
【０１４２】
このように、局情報／マルチサブページ抽出部５２１が設けられることにより、テレテキストデコード装置を搭載したテレビジョン受像装置が、局情報を統一的に管理できる。つまり、テレビジョン受像装置が持つ選局情報と、テレテキスト信号から取り出した局情報とを統一的に管理でき、各種局情報に別々に対応する必要がなくなる。
【０１４３】
ここで、局情報／マルチサブページ抽出部５２１による動作を、図２０のフローチャートを参照して説明する。
【０１４４】
（Ｓ３１００）テレテキスト信号復元部１２２によって復元されたテレテキスト信号から局情報を取り出す。
【０１４５】
（Ｓ５１００）（Ｓ３１００）で取り出した局情報を局情報格納メモリ５３１の局情報テーブルに格納する。
【０１４６】
（Ｓ３２００）テレテキスト信号復元部１２２によって復元されたテレテキスト信号から、マルチサブページのページ情報（ＴＹＰＥ）を取り出す。
【０１４７】
なお、（Ｓ３１００）および（Ｓ３２００）における局情報／マルチサブページ抽出部５２１の詳細な動作は、実施形態３で説明した局情報／マルチサブページ抽出部３２１による動作と同様である。つまり、局情報／マルチサブページ抽出部５２１は、実施形態３、４における局情報／マルチサブページ抽出部３２１の動作に加えて（Ｓ５１００）の動作を行うようになっている。
【０１４８】
次に、局情報／マルチサブページ抽出部５２１による（Ｓ５１００）での詳しい動作について、図２１のフローチャートを参照して説明する。
【０１４９】
（Ｓ５１０１）局情報格納メモリ５３１の局情報テーブルから、１組のデータを取り出す。１組のデータとは、図１９における１行分のデータである。
【０１５０】
（Ｓ５１０２）（Ｓ５１０１）で取り出したデータに含まれる局情報（ＳＴＡＴＩＯＮ）と（Ｓ３１００）で取り出した局情報とを比較し、一致している場合には（Ｓ５１００）の処理を終了し、一致していない場合には（Ｓ５１０３）に進む。
【０１５１】
（Ｓ５１０３）局情報テーブルの全データに対して（Ｓ５１０２）での比較を行ったかどうかを確認する。比較が行われていないデータが残っている場合には（Ｓ５１０１）に戻り、残っていない場合には（Ｓ５１０４）に進む。
【０１５２】
（Ｓ５１０４）（Ｓ３１００）で取り出した局情報を新しい局情報として局情報格納メモリ５３１に出力する。出力された局情報は、内部番号およびＲＦチャンネルが０およびＮＯＮＥの状態で、局情報格納メモリ５３１に格納される。
【０１５３】
なお、本実施形態では、出力された局情報に０およびＮＯＮＥを内部信号およびＲＦチャンネルとして対応づけた情報が、局情報テーブルに追加される。しかし、０およびＮＯＮＥに限らず、他の所定のデータを出力された局情報に対応づけた情報が局情報テーブルに追加されるようにしてもよい。
【０１５４】
ここで、実施形態１〜５のテレビジョン受信装置によって表示される画面の例について、図２２および図２３を参照して説明する。
【０１５５】
図２２は、Ｗｏｒｌｄ  Ｃｌｏｃｋのテレテキスト信号がマルチサブページとして送られてくる場合におけるテレビジョン受信装置による表示を説明する説明図である。テレテキスト信号がテレテキストの機能の一つであるＴＩＭＥ  ＴＥＸＴ機能を実現するために、テレテキスト信号から取り出されるサブページ番号は時間を示す数字と分を示す数字との組合せとなっている。例えば、１４：２０の場合，サブページ番号は１４２０となる。このテレテキスト信号のページは、世界各国の時間情報を表示するものなので、自動更新による表示方法が望ましい。しかし、００：００以降の時刻を表すテレテキスト信号は、サブページ番号が０１，０２といった値となるために、従来のテレテキストデコーダによると自動更新とは異なる表示方法で表示されてしまう。上記実施形態のテレビジョン受信装置では、ページ毎に表示方法を登録できるようになっているので、００：００以降の時刻を表すページを自動更新に登録することにより，どのような場合でもＷｏｒｌｄ  Ｃｌｏｃｋのテレテキストが適当に表示されるようにできる。
【０１５６】
図２３は、ＮＥＷＳＦＬＡＳＨの内容がマルチサブページとして送られてくる場合におけるテレビジョン受信装置による表示を説明する説明図である。この場合，自動更新による表示方法と固定表示による表示方法のどちらでもよく、使用者の好みによって表示方法を変えることが望ましい。しかし、従来のテレテキストデコーダでは自動更新によって表示されてしまう。上記実施形態のテレビジョン受信装置では、ページ毎に表示方法を登録できるようになっているので、表示方法を使用者の好みで登録することにより、要望された表示方法でテレテキストを表示させることができる。
【０１５７】
《その他の実施形態》
なお、上記実施形態１〜５において、表示方法格納メモリ１３３等のメモリは、外部ＲＡＭで構成されていたが、テレテキストデータ処理部１２０〜５２０を含む集積回路に内蔵された内蔵ＲＡＭで構成してもよい。また、メモリの種類もＲＡＭに限られない。
【０１５８】
また、上記実施形態１〜５では、テレテキストデータ処理部１２０〜５２０が１チップの集積回路で構成されていたが、複数チップの集積回路で構成されてもよい。
【０１５９】
また、上記実施形態１〜５では、テレビジョン受像装置について説明したが、ビデオテープレコーダー、ハードディスクビデオレコーダー、およびＤＶＤビデオレコーダー等のビデオ装置やパーソナルコンピュータに、実施形態１〜５のテレテキストデコード装置を内蔵させてもよい。
【０１６０】
また、表示方法格納メモリ１３３に格納されるデータ（表示方法情報）は、図４に示した形式のデータに限らず、ページ番号等のページの属性と表示方法との対応関係を示すものであればよい。
【０１６１】
また、抽出条件格納メモリ４３１に格納されるデータは、図１６に示した形式のデータに限らず、抽出条件を示すものであればよく、マルチサブページ比較抽出部４２１が、その抽出条件を満たすマルチサブページを抽出し、抽出したマルチサブページについての情報をマルチサブページ表示方法テーブルに追加できるように構成すればよい。
【産業上の利用可能性】
【０１６２】
本発明は、互いに同じページ番号を有するが内容の違う複数のサブページを有するページのテレテキスト画像を装置の使用者の望む適切な表示方法によってディスプレイ装置に表示させ、不適切な表示が行われるのを防止できるという効果を有し、例えば、複数のサブページを有するページのテレテキストデータを復号し、ディスプレイ装置にテレテキスト画像を複数種類のサブページ表示方法によって表示させるテレテキストデコード装置や、かかるテレテキストデコード装置を備えたテレビジョン受像装置、ビデオテープレコーダー、およびパーソナルコンピュータ等として有用である。
【図面の簡単な説明】
【０１６３】
【図１】本発明の実施形態１に係るテレビジョン受像装置の構成を示すブロック図である。
【図２】同、テレテキスト信号のパケット０のデータ形式を示す説明図である。
【図３】同、テレビジョン受像装置によるマルチサブページの表示方法を説明する説明図である。
【図４】同、マルチサブページ表示方法テーブルの内容を示す説明図である。
【図５】同、表示するページの画像データをテレテキスト表示画面作成部１２５が作成する動作を示すフローチャートである。
【図６】本発明の実施形態２に係るテレビジョン受像装置の構成を示すブロック図である。
【図７】同、マルチサブページ表示方法変更部２２１による動作を示すフローチャートである。
【図８】同、ディスプレイ装置１１０に表示される画像の例を示す説明図である。
【図９】同、マルチサブページ表示方法変更部２２１による（Ｓ２１００）での詳しい動作を示すフローチャートである。
【図１０】同、マルチサブページ表示方法変更部２２１による（Ｓ２２００）での詳しい動作を示すフローチャートである。
【図１１】本発明の実施形態３に係るテレビジョン受像装置の構成を示すブロック図である。
【図１２】同、局情報／マルチサブページ抽出部３２１による動作を示すフローチャートである。
【図１３】同、局情報／マルチサブページ抽出部３２１による（Ｓ３１００）での詳しい動作を示すフローチャートである。
【図１４】同、局情報／マルチサブページ抽出部３２１による（Ｓ３２００）での詳しい動作を示すフローチャートである。
【図１５】本発明の実施形態４に係るテレビジョン受像装置の構成を示すブロック図である。
【図１６】同、マルチサブページ抽出条件テーブルの内容を示す説明図である。
【図１７】同、マルチサブページ比較抽出部４２１による動作を示すフローチャートである。
【図１８】本発明の実施形態５に係るテレビジョン受像装置の構成を示すブロック図である。
【図１９】同、局情報テーブルの内容を示す説明図である。
【図２０】同、局情報／マルチサブページ抽出部５２１による動作を示すフローチャートである。
【図２１】同、局情報／マルチサブページ抽出部５２１による（Ｓ５１００）での詳しい動作を示すフローチャートである。
【図２２】実施形態１〜５のテレビジョン受信装置によって表示される画面の例を示す説明図である。
【図２３】実施形態１〜５のテレビジョン受信装置によって表示される画面の例を示す説明図である。
【符号の説明】
【０１６４】
１１０      ディスプレイ装置
１２０      テレテキストデータ処理部
１２１      テレテキスト信号復元部制御部
１２２      テレテキスト信号復元部
１２３      テレテキストデータデコーダ
１２４      キーハンドラ
１２５      テレテキスト表示画面作成部
１２６      表示ハードウェア
１３０      外部ＲＡＭ
１３１      テレテキストデータ格納メモリ
１３２      ページ情報格納メモリ
１３３      表示方法格納メモリ
１３４      表示用ＶＲＡＭ
１４０      テレテキストデータ読み込み表示部
２２０      テレテキストデータ処理部
２２１      マルチサブページ表示方法変更部
３２０      テレテキストデータ処理部
３２１      局情報／マルチサブページ抽出部
４２０      テレテキストデータ処理部
４２１      マルチサブページ比較抽出部
４３０      外部ＲＡＭ
４３１      抽出条件格納メモリ
５２０      テレテキストデータ処理部
５２１      局情報／マルチサブページ抽出部
５３０      外部ＲＡＭ
５３１      局情報格納メモリ
【図１】
2008306554.tif 000003
【図２】
2008306554.tif 000004
【図３】
2008306554.tif 000005
【図４】
2008306554.tif 000006
【図５】
2008306554.tif 000007
【図６】
2008306554.tif 000008
【図７】
2008306554.tif 000009
【図８】
2008306554.tif 000010
【図９】
2008306554.tif 000011
【図１０】
2008306554.tif 000012
【図１１】
2008306554.tif 000013
【図１２】
2008306554.tif 000014
【図１３】
2008306554.tif 000015
【図１４】
2008306554.tif 000016
【図１５】
2008306554.tif 000017
【図１６】
2008306554.tif 000018
【図１７】
2008306554.tif 000019
【図１８】
2008306554.tif 000020
【図１９】
2008306554.tif 000021
【図２０】
2008306554.tif 000022
【図２１】
2008306554.tif 000023
【図２２】
2008306554.tif 000024
【図２３】
2008306554.tif 000025